(57)【要約】      （修正有）【課題】ティッシュペーパー製品の製造工程において生じる規格外品を有効利用したティッシュペーパー製品を提供する。【解決手段】ティッシュペーパー生産時に発生する規格外品であるティッシュペーパー積層体１１１が、複数個並べて積み重ねられた内容部１１と、ダンボール材によって形成された箱体であって、内容部１１を収容し、破断されることによりティッシュペーパーを取り出すための取出口を形成する破断部１２４を有する箱体部とを備えるよう構成する。【選択図】図１
0003210238.tif 000002
【実用新案登録請求の範囲】
【請求項１】
ティッシュペーパー生産時に発生する規格外品であるティッシュペーパー積層体が、複数個並べて積み重ねられた内容部と、
ダンボール材によって形成された箱体であって、前記内容部を収容し、破断されることにより前記ティッシュペーパーを取り出すための取出口を形成する破断部を有する箱体部と、
を備えるティッシュペーパー製品。
【請求項２】
請求項１に記載のティッシュペーパー製品であって、
前記破断部は、略コの字形のミシン目からなり、
前記ミシン目は、向かい合う一対の辺がそれぞれ前記箱体部の稜線部を跨ぐように設けられているティッシュペーパー製品。
【請求項３】
請求項１または請求項２に記載のティッシュペーパー製品であって、
前記箱体部は、環境に配慮した製品であることを示すための表示がされていることを特徴とするティッシュペーパー製品。
【考案の詳細な説明】
【技術分野】
【０００１】
本考案は、規格外品を有効利用したティッシュペーパー製品に関する。
【背景技術】
【０００２】
ティッシュペーパー製品の製造工程は、主に、パルプ製造工程、紙そのものを製造する製紙工程、紙を加工して製品に仕上げる加工工程からなる。原料の木材チップや古紙は、パルプ製造工程を経てパルプ化される。パルプ製造工程において製造されたパルプは、製紙工程において抄造、脱水、乾燥され、紙となる。さらに、製紙工程において製造された紙が、加工工程において断裁、集積されることでティッシュペーパー製品が完成する。
【０００３】
製紙工程及び加工工程において生じる規格外品などの、商品として出荷されない紙のことを損紙という。この損紙は、古紙と共にパルプ化することで、再び資源として用いることができるが、古紙をパルプ化する設備を有しない等の理由で、再資源化が容易でない場合には廃棄されることとなる。
【０００４】
損紙の廃棄処分が資源の無駄になるのは言うまでもないが、再資源化されるとしても、紙を未使用のまま古紙にするため、紙が使用される状態にするまでに通常の製造工程を二度経由することになり、製紙に要されるエネルギー資源の浪費につながる。
【考案の概要】
【考案が解決しようとする課題】
【０００５】
本考案は、従来のこのような問題点に鑑みてなされたものである。本考案の主な目的は、規格外品を有効利用したティッシュペーパー製品を提供することにある。
【課題を解決するための手段及び考案の効果】
【０００６】
本考案の第１の側面に係るティッシュペーパー製品によれば、ティッシュペーパー生産時に発生する規格外品であるティッシュペーパー積層体が、複数個並べて積み重ねられた内容部と、ダンボール材によって形成された箱体であって、前記内容部を収容し、破断されることにより前記ティッシュペーパーを取り出すための取出口を形成する破断部を有する箱体部とを備えることができる。前記構成により、規格外品を用いることができるので、資源を有効に活用することができる。また、配送用の箱に、通常の箱ティッシュ複数個分のティッシュペーパーが、個包装されずに直接入れられることで、ゴミの削減にもつながる。さらに、破断するだけで開口する取出口が設けられているため、箱の上部テープを切ったり剥がしたりすることなく、ティッシュペーパーを取り出すことができる。
【０００７】
また、本考案の第２の側面に係るティッシュペーパー製品によれば、前記破断部は、略コの字形のミシン目からなり、前記ミシン目は、向かい合う一対の辺がそれぞれ前記箱体部の稜線部を跨ぐように設けられるよう構成できる。前記構成により、コの字形に形成されたミシン目の端部同士を結んだ部分が蝶番の役割を果たし、切り抜かれた部分が開閉自在の蓋として使用できる。また、取出口が箱の隣接する２面にわたって形成されるので、中身の状態を容易に視認でき、ティッシュペーパーを取り出し易くできる。
【０００８】
また、本考案の第３の側面に係るティッシュペーパー製品によれば、さらに、前記箱体部は、環境に配慮した製品であることを示すための表示がされるよう構成できる。前記構成により、消費者が商品を選択する際の指標を設けることができると共に、企業の環境意識の高さを消費者へ印象づけることができる。
【図面の簡単な説明】
【０００９】
【図１】本考案を適用したティッシュペーパー製品の全体構成を示す概略図であって、破線はミシン目を、一点鎖線は折り目となる罫線を、二点鎖線は箱体部を透視した場合における箱体部の輪郭を示している。
【図２】本考案を適用したティッシュペーパー製品の内容部の概略図であって、図２Ａは、ティッシュペーパー積層体を長手方向に２列、幅方向に２列並べたものを、積層方向に５段積み重ね、全体を横倒しにした状態で箱体部に収容した実施例を示す図であり、図２Ｂは、ティッシュペーパー積層体を積層方向に４段積み重ねたものを幅方向に３列並べた実施例を示す図である。
【図３】本考案を適用したティッシュペーパー製品の箱体部の展開図であって、破線はミシン目を、一点鎖線は折り目となる罫線を示している。
【図４】本考案を適用したティッシュペーパー製品の外観図であって、破線はミシン目を、一点鎖線は折り目となる罫線を示している。
【考案を実施するための形態】
【００１０】
以下、本考案の実施の形態を図面に基づいて説明する。ただし、以下に示す実施の形態は、本考案の技術思想を具体化するためのティッシュペーパー製品を例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。
（ティッシュペーパー製品１の構成）
【００１１】
以下、本考案を適用した具体的な実施の形態について、図面を参照しながら詳細に説明する。本考案は、例えば図１に示すような構成のティッシュペーパー製品１に適用される。図１は、ティッシュペーパー製品１の全体構成を示す概略図であり、波線より左側は外観の概略図、右側は内部の概略図となっている。ティッシュペーパー製品１は、ティッシュペーパー積層体１１１が複数個並べて積み重ねられた内容部１１と、内容部１１を収容する箱体部１２からなり、箱体部１２には破断部１２４が形成されている。
（内容部１１）
【００１２】
内容部１１は、例えば図２Ａに示すように、ティッシュペーパー積層体１１１を長手方向に２列、幅方向に２列並べたものを、積層方向に５段積み重ね、全体を横倒しにした状態で箱体部１２に収容されている。
【００１３】
なお、内容部１１はこの形態に限定されず、例えば図２Ｂに示すように、ティッシュペーパー積層体１１１を積層方向に４段積み重ねたものを幅方向に３列並べた形態など、箱体部１２の寸法の調整により、多様な形態が可能である。
（ティッシュペーパー積層体１１１）
【００１４】
ティッシュペーパー積層体１１１は、例えば２枚重ねで２００組のティッシュペーパーが、それぞれ２つ折りに折り畳まれ、交互に重ねて積層されたものである。
【００１５】
また、ティッシュペーパー積層体１１１は、規格外品であるため、寸法が規格からずれていたり、裁断不良があったり、一部に撚れや傷みが生じたティッシュペーパーが含まれていたりする。
（箱体部１２）
【００１６】
箱体部１２は、例えば図３に示すような形状に裁断されたダンボールが組み立てられて形成される。図１及び図３に示すように、箱体部１２の一つの長側面１２１と、長側面１２１と隣り合う外フラップ１２２の２面に渡り、稜線部１２３を跨ぐように破断部１２４が形成されている。
（破断部１２４）
【００１７】
破断部１２４は、図１及び図３に示すように、略コの字形のミシン目１２４１と、ミシン目１２４１の端部同士を結ぶように形成された罫線である蝶番部１２４２と、ミシン目１２４１と蝶番部１２４２とで囲まれた面である蓋部１２４３と、ミシン目１２４１の蝶番部１２４２と対向する辺の一部を半円状に迂回させることで形成されたつまみ部１２４４とで構成されている。ミシン目１２４１は、向かい合う一対の辺がそれぞれ箱体部１２の稜線部１２３を跨ぐように設けられ、ミシン目１２４１の端部及び蝶番部１２４２は外フラップ１２２上に、つまみ部１２４４は長側面１２１上に位置する。
【００１８】
なお、破断部１２４は前記向き及び位置に限定されず、つまみ部１２４４と蝶番部１２４２の位置が逆であってもよいし、箱体部１２の長側面１２１と短側面１２５との境界線である鉛直稜線部１２６を跨ぐ位置に形成されてもよい。
【００１９】
破断部１２４がミシン目１２４１に沿って破断されると、蓋部１２４３が蝶番部１２４２を残して箱体部１２から切り離され、蝶番部１２４２を支点として蓋部１２４３が開閉自在に動かせるようになる。
（表示）
【００２０】
本考案を適用したティッシュペーパー製品１の箱体部１２の表面には、ティッシュペーパー製品１が環境に配慮した製品であることを示す表示がされている。例えば、図４に示すように、箱体部１２の長側面１２１に表示をする。表示の内容には、製品が環境に配慮して作られたものであること、製品の内容が規格外品のティッシュペーパーであること、用途の例示等が含まれる。
【００２１】
以上の通り、本考案によれば、規格外品を有効利用し、容易に開閉できる取出口を有し、環境に配慮した製品であることが明示されたティッシュペーパー製品を提供することができる。
【００２２】
なお、本考案は前述した実施の形態のみに限定されるものではなく、本考案の要旨を逸脱しない範囲において種々の変更が可能であることは勿論である。
【産業上の利用可能性】
【００２３】
本考案に係るティッシュペーパー製品は、通常のティッシュペーパー製品と同じ用途にも利用できるが、特に、一度に複数枚のティッシュペーパーを取り出すことができるため、ペットの排尿や排便の処理などに好適である。
【符号の説明】
【００２４】
１…ティッシュペーパー製品
１１…内容部、１１Ａ…内容部、１１Ｂ…内容部、１１１…ティッシュペーパー積層体
１２…箱体部、１２１…長側面、１２２…外フラップ、１２３…稜線部、１２４…破断部、１２４１…ミシン目、１２４２…蝶番部、１２４３…蓋部、１２４４…つまみ部、１２５…短側面、１２６…鉛直稜線部
【図１】
0003210238.tif 000003
【図２】
0003210238.tif 000004
【図３】
0003210238.tif 000005
【図４】
0003210238.tif 000006